(57)【要約】【課題】  駆動手段として駆動モータのような電気その他のエネルギーを消費しなくとも回転させることができる下り専用の観覧車並びにその際に同時に発電も行うことのできる同じく下り専用の観覧車を提供する。【解決手段】  回転軸と、この回転軸より外方向へ放射状に取り付けられた複数の径方向杆を介して前記回転軸と共に回転するように設けられた第１大回転輪と、この第１大回転輪に等間隔に吊設された複数のゴンドラとを有し、このゴンドラに対する乗車用プラットホームを下り側に移動したゴンドラ側に設けることにより、ゴンドラに乗車した利用者の重量により前記第１大回転輪が回転するように成し、この構成に加えて前記回転軸の回転駆動力で発電機を稼動させることで解決した。【選択図】        図２
2010029316.tif 000002
【特許請求の範囲】
【請求項１】
回転軸と、この回転軸より外方向へ放射状に取り付けられた複数の径方向杆を介して前記回転軸と共に回転するように設けられた第１大回転輪と、この第１大回転輪に等間隔に吊設された複数のゴンドラとを有し、このゴンドラに対する乗車用プラットホームを下り側に移動したゴンドラ側に設けることにより、ゴンドラに乗車した利用者の重量により前記第１大回転輪が回転するように成したことを特徴とする、下り専用の観覧車。
【請求項２】
回転軸と、この回転軸より外方向へ放射状に取り付けられた複数の径方向杆を介して前記回転軸と共に回転するように設けられた第１大回転輪と、この第１大回転輪に等間隔に吊設された複数のゴンドラとを有し、このゴンドラに対する乗車用プラットホームを下り側に移動したゴンドラ側に設けることにより、ゴンドラに乗車した利用者の重量により前記第１大回転輪が回転するように成すと共に、前記回転軸の回転を利用して発電する発電機を設けたことを特徴とする、下り専用の観覧車。
【請求項３】
前記発電機による発電を行なうに当り、当該発電機に駆動車輪を連結させ、この駆動車輪の回転を前記発電機へ伝達するように成すと共に、前記駆動車輪を前記第１大回転輪の回転動作に伴って上昇させた転動子の落下エネルギーを利用して回転させることを特徴とする、請求項２に記載の下り専用の観覧車。
【請求項４】
請求項１乃至３に各記載の観覧車を、山或は建築物に付設し、前記ゴンドラへの乗車用プラットホームを前記山或は建築物の上部或は中間部の下降に移行するゴンドラの位置としたことを特徴とする、下り専用の観覧車。
【発明の詳細な説明】
【技術分野】
【０００１】
本発明は、下り専用の観覧車並びに同時に発電のできる下り専用の観覧車に関する。
【背景技術】
【０００２】
従来、観覧車は、下記する特許文献１に示されているように、回転軸に対して放射状に配置した径方向杆を介して同芯上に離間対向させて設けた一対の回転輪を設け、この回転輪の外周に等間隔にゴンドラを吊設し、回転輪をゆっくりと回転させることでゴンドラに乗った観覧客が景色を楽しむことができるものであり、回転輪の直径が１００ｍに及ぶ大きなものも存在する。
【０００３】
他方、観覧車を支持するのに建築物を利用する当該建築物に付設した観覧車も、下記する特許文献２により公知である。この特許文献２によれば、観覧車は建築物にさまざまな形態で付設されており、観覧車を単独で設置するよりも設置費が安価になるように工夫されている。
【特許文献１】特開２００７−１６７２１５号公報
【特許文献２】特開２００３−３６８１号公報
【発明の開示】
【発明が解決しようとする課題】
【０００４】
上述した従来公知の観覧車は、回転軸に駆動モータから回転駆動力を伝達して回転輪を回転させるものであるが、消費電力が大きいために、観覧客が少ない時には不経済となるという問題があった。また、電力を用いない下り専用の省エネルギータイプの観覧車、或は同時に発電のできる観覧車については記載されていない。
【０００５】
この発明の目的は、駆動手段として駆動モータのような電気その他のエネルギーを消費しなくとも回転させることができる下り専用の観覧車並びにその際に同時に発電も行うことのできる同じく下り専用の観覧車を提供せんとするにある。
【課題を解決するための手段】
【０００６】
上述した目的を達成するためにこの発明は、回転軸と、この回転軸より外方向へ放射状に取り付けられた複数の径方向杆を介して前記回転軸と共に回転するように設けられた第１大回転輪と、この第１大回転輪に等間隔に吊設された複数のゴンドラとを有し、このゴンドラに対する乗車用プラットホームを下り側に移動したゴンドラ側に設けることにより、ゴンドラに乗車した利用者の重量により前記第１大回転輪が回転するように成したことを特徴とする。
【０００７】
この発明はまた、回転軸と、この回転軸より外方向へ放射状に取り付けられた複数の径方向杆を介して前記回転軸と共に回転するように設けられた第１大回転輪と、この第１大回転輪に等間隔に吊設された複数のゴンドラとを有し、このゴンドラに対する乗車用プラットホームを下り側に移動したゴンドラ側に設けることにより、ゴンドラに乗車した利用者の重量により前記第１大回転輪が回転するように成すと共に、前記回転軸の回転を利用して発電する発電機を設けたことを特徴とする。
【０００８】
また、この発明によれば、前記発電機による発電を行なうに当り、当該発電機に駆動車輪を連結させ、この駆動車輪の回転を前記発電機へ伝達するように成すと共に、前記駆動車輪を前記第１大回転輪の回転動作に伴って上昇させた転動子の落下エネルギーを利用して回転させることを特徴とする。
【０００９】
この発明はさらに、上記に記載の各観覧車を、山或は建築物に付設し、前記ゴンドラへの乗車用プラットホームを前記山或は建築物の上部或は中間部の下降に移行するゴンドラの位置としたことを特徴とする。
【発明の効果】
【００１０】
請求項１発明によれば、大電力を消費する駆動モータを用いなくとも、観覧車を回転させることができ、省エネルギー性において優れた観覧車を提供できるものである。
【００１１】
請求項２発明によれば、請求項１に記載の効果に加えて、発電を行うことができるという効果を奏し得る。
【００１２】
請求項３発明によれば、上昇させた転動子の落下位置を変えることにより、発電機の回転速度を制御できるという効果を奏しうる。
【００１３】
請求項４発明によれば、下り専用の移動手段として用いることができた上で、発電させたり、外の景色を楽しむことができるという効果を奏し得る。
【発明を実施するための最良の形態】
【００１４】
以下、この発明の下り専用の観覧車を添付図面に基づいて説明する。
【実施例１】
【００１５】
図１と図２はこの発明に係る下り専用の観覧車の一実施の形態を概略的示す。図２においては、ゴンドラの表示を最上部のものと最下部のものを残して、他は省略してある。図面によれば、土台Ａ上に離間対向して立設され、正面から見て山形を呈した断面略アングル形状の前後一対の支柱１、１には、観覧車２が当該支柱１、１上に支承された回転軸３を介して回転可能に取り付けられている。観覧車２は、第１大回転輪４を回転軸３に取り付けた回転円板３ａより外方向へ放射状に取り付けた複数の径方向杆５に取り付けており、第１大回転輪４の内側にはさらに第１大回転輪４よりも小径の補強回転輪６が各径方向杆５に取り付けられている。第１大回転輪４に対向して該第１大回転輪４と同径の第２大回転輪７が、複数の連結杆８を介して取り付けられており、この第２大回転輪７には、径方向杆が取り付けられていない。第１大回転輪４の外周には、複数の吊下杆９を介して、複数のゴンドラ１０がその吊下手段１０ａを介して等間隔かつ旋回可能に吊り下げられており、第２大回転輪７に径方向杆が取り付けられていないという意味において、片吊下げ型のゴンドラということができる。支柱１、１の上部から上方へ突設された指示記号１a、１aの尖塔状のものは、装飾部材である。
【００１６】
尚、以上の実施例において、支柱１、１、観覧車２、ゴンドラ１０等の構成は、一例であって図示のものに限定されない。観覧車２の径方向杆５や補強回転輪６の数、配置等についても、図示のものに限定されない。
【００１７】
観覧車２の下部に位置し、最下端のゴンドラに沿って降車用プラットホーム１１が設けられ、観覧車２と共に回転して来て最下端に来たゴンドラ１０がゆっくりと移動している間に利用者が降車できるようになっている。
【００１８】
支柱１，１の第２大回転輪を設けた側には、ジグザグ状に階段１２が設けられ、この階段１２の最上階の第６段目のもの１２ｆを除いて、下側の階段１２a〜１２eのものは、土台Ａに設置した架台１３、１３、１４上に設置され、最上階の階段１２ｆは乗車用プラットホーム１６と共に、支柱１、１より立設した架台１５、１５によって支承されている。この乗車用プラットホーム１６は、最上部に来たゴンドラ１０が下りに移る位置で乗車するものであり、このゴンドラ１０に利用者が乗車することによって、その重量で観覧車２が回転するように、重量バランスが図られている。
【００１９】
図面では、図２に示したように、径方向杆を設けた側の支柱１，１上に設けた発電室１７内に据え付けた据付台部１７ａ上に発電機１８が備え付けられており、この発電機１８の回転軸に取り付けた従動歯車１９と噛合して、駆動歯車２０が回転軸３の回転駆動力を介して回転するように設けられている。即ち、この発明に係る観覧車２は、当該観覧車２を回転させるための駆動モータのような駆動源は設置されていない点に特徴がある。
【００２０】
したがって、この発明に係る観覧車２を利用する利用者は地表から、階段１２を利用して観覧車２の上部に昇って行って、乗車用プラットホーム１６から下りに移行したゴンドラ１０に乗車し、その時の利用者の重量により観覧車２を回転させ、回りの景観を楽しみながら降りて来るものであり、それだけで、省エネルギータイプの観覧車ということができる。加えてその時に上記したように発電機１８を回転させて発電させるように構成すれば、さらに有益ということができよう。
【００２１】
本発明に係る観覧車２は、ゴンドラ１０に乗車する利用者の数によって、観覧車２の回転トルクに違いが出てきて、観覧車２の回転速度が変動することから、観覧車２の回転速度を乗車している利用者の人数に関係なく一定にして利用者に危険の及ばないようにするために、過回転制御手段や定速回転制御手段を設けることが好ましい。この定速制御手段は、メカ式のものや、フォトインターラプターやインバータを用いた電磁ブレーキや、発電機に設置した電気ブレーキを用いることが望ましい。
【実施例２】
【００２２】
図３乃至図８は、この発明に係る下り専用の観覧車の他の実施の形態を概略的に示す。図３と図４においては、本来は外部から見えない転動子を図示してあり、図４においては、ゴンドラの表示を最上部のものと最下部のものを残して、他は省略してある。また、図７においては、解り易くするためにサイドプレートを省略して図示してある。図面から解るように基本的な観覧車の構成は、上記実施例のものと同じであるので、指示記号の同じものは同じ部材を表すことから、説明を省略する。
【００２３】
この実施例に係る観覧車２５は、上記した実施例のものと同じように利用者が、観覧車２５の下降側に移動したゴンドラ１０に乗車した際の重量によって当該観覧車２５を回転させ、この回転力を利用して樹脂製或は鋼球などの金属製のボールから成る転動子２６を上方へ揚げ、この転動子２６が落下する際の落下エネルギーを利用して発電機１８の駆動車輪２７を回転させて発電するものである。尚、図４において指示記号２４で示したものは、非常用の駆動モータである
【００２４】
したがって、この実施例に係る観覧車２５は、発電機１８を駆動させる手段が異なる。即ち、この実施例に係る観覧車２５は、自己の回転で所定の重量のある転動子２６を押し上げて落下させることにより、発電機１８の駆動車輪２７を回転させるものである。この駆動車輪２７ははずみ車となっており、とくに図４と図８に示したように、発電室３５内に設置した据付台３５ａ上に設けた支承部材３６，３６に回転軸２７ａを介して回転自在に取り付けられている。図４において指示記号３５ｂで示したものは発電室３５に上るための階段である。
【００２５】
図面によれば、とくに図３乃至図５に示したように、観覧車２５の一側部つまり階段１２を設けた側とは反対の側に位置して、内部に多数の係止片２８ａを等間隔に配置したところの、例えば樹脂製か鋼製のボールからなる転動子２６を上方へ押し上げる大リング状の上昇用ガイドパイプ２８が、観覧車２５と共に回転するように設けられており、この上昇用ガイドパイプ内に等間隔に設置した係止片２８ａで転動子２６を係止して上方へ送るものである。尚、この係止片２８ａに代えて弾力を有する係止溝を設けこの係止溝で挟んで上方へ移送させることもでき、この構成にとくに限定はない。
【００２６】
この上昇用ガイドパイプ２８の上部に位置して設けた出口２８ｂに、その入口２９ａを接続させた下降用ガイドパイプ２９を例えばジグザグ状に設けてある。このジグザグ状の下降用ガイドパイプ２９の中間部分の複数箇所には、上昇用ガイドパイプ２８に接続させて分岐させた分岐パイプ３０ａ、３０ｂ、３０ｃが接続されている。そして、とくに図７と図８に示したように、下降用ガイドパイプ２９の出口２９ｂを、その外縁部に取付ボルト３１ａを介してリング状のサイドプレート３１を取り付けることによって形成したリング状の外側がより開口されるようにテーパーを付けた受取溝３２に臨ませている。この受取溝３２で転動子２６を移送する側には、図７に示したように、安全カバー３４が設けられている。
【００２７】
サイドプレート３１はこの実施例のものは例えばゴム製の弾力を有するもので、下降用ガイドパイプ２９の出口２９ｂより転動子２６を受取溝３２に導いて、この受取溝３２で挟むことにより転動子２６の重量と降下速度によって駆動車輪２７を回転させ、その後、この転動子２６を掬い取り片３３を介して掬い取り、上昇用ガイドパイプ２８の入口２８ｃから当該上昇用ガイドパイプ２８内へと導くものである。尚、サイドプレート３１は弾性を有し、その弾力で挟まれることによりこの上昇用ガイドパイプ２８内に導入された転動子２６は、観覧車２５の回転と共に回転する当該上昇用ガイドパイプ２８内を落下に向けて上昇することになる。尚、転動子２６で駆動車輪２７を回転させる手段としては、当該駆動車輪２７の外周に等間隔に受取片を突設し、この受取片で転動子２６を受けて回転させるように構成しても良く、この構成に限定はない。
【００２８】
駆動車輪２７が転動子２６の重量で回転すると、とくに図８に示したように、この駆動車輪２７の回転軸２７ａに取り付けた駆動歯車３７を介して発電機１８の従動歯車３８を回転させて発電させるものである。
【００２９】
つまり、この実施例に係る観覧車２５の下降位置に移動したゴンドラ１０に利用者が乗車することで、観覧車２５が回転し、この回転によって上昇用ガイドパイプ２８内に駆動車輪２７を経由した転動子２６をガイドする導入パイプ３９の出口より導入された転動子２６が当該上昇用ガイドパイプ２８内を上昇し、この上昇した転動子２６が下降用ガイドパイプ２９内を降下して発電機１８の駆動車輪２７を回転させて発電を行うものである。
【００３０】
このように転動子２６を用いると、観覧車２５の回転速度に関係なく、転動子２６の送りを制御することで、駆動車輪２７の回転速度を制御し、一定の速度で回転するようにすることができる利点がある。転動子２６の材料としては、上述したように、樹脂製、金属製を問わないが、鋼製のボールであることが望ましい。
【００３１】
上記した駆動車輪２７の回転速度の制御は、例えば、下降用ガイドパイプ２９の駆動車輪２７の上部側にある、メカ式或は電気式の制御手段２１を動作させてボールの落下を制御したり、各分岐パイプ３０ａ、３０ｂ、３０ｃの上昇用ガイドパイプ２８側の各入口３０ｄ、３０ｅ、３０ｆ側に、メカ式或は電気式の制御手段（図示せず）を設けることによって、転動子２６の降下位置を規制することによって制御することができる。また、電気的なボールの落下制御手段としては、例えばソレノイド、シリンダー、駆動モータを用いるものが考えられる。
【実施例３】
【００３２】
図９は本発明に係る下り専用の観覧車のさらに他の実施の形態を概略的に示す。ゴンドラは、その最上部のものと最下部のものを残して、他は省略してある。図面によれば観覧車４０は、景勝地や遊園地などにある山４１の脇に設置されており、山４１の頂上まで登った利用者が下り専用の移動手段として用いるものであり、回りの景色を見ながら、降りて来るものである。観覧車４０としては、上述した実施例１と２のものを用いることができよう。尚、山以外に崖や谷に設置することもできよう。尚、指示記号４２は降車用プラットホーム、指示記号４３は乗車用プラットホームである。
【実施例４】
【００３３】
図１０はさらに本発明に係る下り専用の観覧車の他の実施例を示す。ゴンドラは、その最上部のものと最下部のものを残して、他は省略してある。図面によれば観覧車４５は、例えば景勝地や遊園地等に設置した高層の建築物４６に付設して設けられており、建築物４６の屋上に設けた乗車用プラットホーム４７から、下降に移行したゴンドラ１０に乗車するものである。観覧車４５としては実施例１と２のどちらのものであっても良い。
【００３４】
このように実施すると、支柱４８の一部を建築物で代替えすることができることから、設置コストを下げることができる利点がある。この場合は、先の実施例３の山４１の脇に設置する実施例のものも同じであるが、観覧車４５の頂上に乗車用プラットホームを設ける他、途中に設けることも可能である。また、観覧車の設置態様は実施例のものに限定されない。それはさまざまなものが考えられる。
【産業上の利用可能性】
【００３５】
以上詳細に説明したように、この発明によれば、電気のようなエネルギーを用いなくとも回転させて景色を楽しむことのできる省エネルギー型の観覧車とすることができ、観覧車を回転させて、景色を楽しんだり、移動手段とした上で、さらに電気を作り出すこともできる観覧車とすることができる。
【図面の簡単な説明】
【００３６】
【図１】本発明に係る下り専用の観覧車を概略的に示す正面図である。
【図２】図１に示した下り専用の観覧車を概略的に示す左側面図である。
【図３】本発明に係る下り専用の観覧車の他の実施の形態を概略的に示す正面図である。
【図４】図３に示した下り専用の観覧車を概略的に示す右側面図である。
【図５】図３に示した下り専用の観覧車の上昇用ガイドパイプの一部拡大断面図である。
【図６】図３に示した下り専用の観覧車の駆動車輪の一部拡大断面図である。
【図７】図３に示した下り専用の観覧車の駆動車輪の部分の拡大正面図である。
【図８】図７に示した下り専用の駆動車輪と発電機の側面図である。
【図９】本発明に係る下り専用の観覧車の他の実施の形態を概略的に示す側面図である。
【図１０】本発明に係る下り専用の観覧車の他の実施の形態を概略的に示す側面図である。
【符号の説明】
【００３７】
２、２５、４０、４５  観覧車
３、２７ａ  回転軸
４    第１大回転輪
５    径方向杆
１０  ゴンドラ
１６、４３、４７  乗車用プラットホーム
１８  発電機
２６  転動子
２７  駆動車輪
４１  山
４６  建築物
【図１】
2010029316.tif 000003
【図２】
2010029316.tif 000004
【図３】
2010029316.tif 000005
【図４】
2010029316.tif 000006
【図５】
2010029316.tif 000007
【図６】
2010029316.tif 000008
【図７】
2010029316.tif 000009
【図８】
2010029316.tif 000010
【図９】
2010029316.tif 000011
【図１０】
2010029316.tif 000012